【事件の表示】
　平成　８年特許願第２７３５６１号「ディスク再生装置」拒絶査定に対する審判事件［平成１０年　５月１５日出願公開、特開平１０−１２４９７８］について、次のとおり審決する。
【結　論】
　本件審判の請求は、成り立たない。
【理　由】
１．出願の経緯、補正の内容
　本願は、平成８年１０月１６日の出願であって、その請求項１に係る発明は、平成１２年１２月５日付け及び平成１３年１月２３日付け手続補正によって補正された明細書及び図面の記載からみて、特許請求の範囲の請求項１に記載された次のとおりのものと認める。（以下、「本願発明」という。）
「ディスクに記憶された複数のトラックより情報信号を読み取って再生するディスク再生装置において、ディスクに記憶されている各トラックの情報を判別する情報種別判別手段と、該情報種別判別手段の判別に基づいて正常な音声信号として再生可能なトラックが全く存在しない場合にその旨を表示する表示手段とを備えたことを特徴とするディスク再生装置。」
　
２．引用例
　これに対して、原査定の拒絶の理由に引用された、特開平６−１３１８５５号公報（平成６年５月１３日出願公開、以下「引用例１」という）には、以下の記載がある。
「【０００１】
【産業上の利用分野】本発明は、異なった記録フォーマットの光ディスクに記録されたデータの再生を行うディスク再生装置に関する。」
「【００３４】ＴＯＣのデータ構造を図３に示す。ＴＯＣは、全ての種類のＣＤのフォーマットにおいて存在し、ＣＤに記録されるデータの内容の目次の役割を果たしている。ここで、リードイン部分のＴＯＣには、ＰＯＩＮＴ部分の値がＡ０ｈ（ｈは１６進数を示す）となっているものがあり、このＴＯＣのＰＳＥＣ部分は、そのＣＤの種別を示す情報となっている。
【００３５】つまり、ＰＯＩＮＴ部分の値がＡ０ｈである複数のＴＯＣにおいて、ＰＳＥＣの値が００ｈであれば、そのＣＤは音声用ＣＤ、ＣＤ−ＲＯＭ、または混在ＣＤ−ＲＯＭのいずれかである。なお、戴置されたＣＤが音声用ＣＤ、ＣＤ−ＲＯＭ、および混在ＣＤのいずれかであるかの区別は、図３に示すＣＴＲＬ／ＡＤＲＳの部分で行うことが可能である。つまり、ＴＯＣのＣＲＴＬ／ＡＤＲＳの値が０１ｈのみである場合は戴置されたＣＤは音声用ＣＤであり、ＣＲＴＬ／ＡＤＲＳの値が４１ｈのみである場合はＣＤ−ＲＯＭであり、ＣＲＴＬ／ＡＤＲＳの値に０１ｈおよび４１ｈが混在している場合は混在ＣＤ−ＲＯＭである。
【００３６】ＰＳＥＣの値が１０ｈであれば、そのＣＤはＣＤ−ＢＧＭ、混在ＣＤ−Ｉ、またはＣＤ−Ｉである。混在ＣＤ−ＩおよびＣＤ−ＢＧＭ、または、ＣＤ−ＩおよびＣＤ−ＢＧＭ、のいずれかであるかの判断は、上述した音声用ＣＤ、ＣＤ−ＲＯＭ、および混在ＣＤ−ＲＯＭの場合と同様にＣＴＲＬ／ＡＤＲＳの値で判断することが可能である。つまり、ＣＴＲＬ／ＡＤＲＳの値に０１ｈが含まれていれば混在ＣＤ−ＩまたはＣＤ−ＢＧＭであり、ＣＴＲＬ／ＡＤＲＳの値に０１ｈが含まれていなければＣＤ−ＩおよびＣＤ−ＢＧＭのいずれかである。なお、ＣＤ−ＢＧＭにはＣＴＲＬ／ＡＤＲＳの値に０１ｈが含まれている場合といない場合があるので、この段階ではＣＤ−ＢＧＭのみを識別できない。ＣＤ−ＩとＣＤ−ＢＧＭおよび混在ＣＤ−Ｉの識別方法については後述する。
【００３７】ＰＳＥＣの値が２０ｈであれば、そのＣＤは学習用ＣＤ、ＣＤ−ＲＯＭＸＡ、または混在ＣＤ−ＲＯＭＸＡのいずれかである。混在ＣＤ−ＲＯＭＸＡおよび学習用ＣＤ、または、ＣＤ−ＲＯＭＸＡおよび学習用ＣＤ、のいずれかであるかの判断は、上述した音声用ＣＤ、ＣＤ−ＲＯＭ、および混在ＣＤ−ＲＯＭの場合と同様にＣＴＲＬ／ＡＤＲＳの値で判断することが可能である。つまり、ＣＴＲＬ／ＡＤＲＳの値に０１ｈが含まれていれば混在ＣＤ−ＲＯＭＸＡまたは学習用ＣＤであり、ＣＴＲＬ／ＡＤＲＳの値に０１ｈが含まれていなければＣＤ−ＲＯＭＸＡおよび学習用ＣＤのいずれかである。また、学習用ＣＤにはＣＴＲＬ／ＡＤＲＳの値に０１ｈが含まれている場合といない場合があるので、この段階では学習用ＣＤのみを識別できない。学習用ＣＤ、ＣＤ−ＲＯＭＸＡ、および混在ＣＤ−ＲＯＭＸＡの識別方法については後述する。」
「【００３８】ここで、ディスク再生装置１で再生されるＣＤは、音声用ＣＤ、ＣＤ−ＢＧＭ、混在ＣＤ−Ｉ、混在ＣＤ−ＲＯＭ、混在ＣＤ−ＲＯＭＸＡ、および学習用ＣＤである。よって、このＴＯＣを読み出し、図３に示して上述したＰＯＩＮＴ、ＰＳＥＣ、およびＣＴＲＬ／ＡＤＲＳの各値について判断することにより、マイコン３０はメカデッキ部１５に戴置されたＣＤが音声用ＣＤ、ＣＤ−ＲＯＭ、混在ＣＤ−ＲＯＭ、ＣＤ−ＩおよびＣＤ−ＢＧＭ、ＣＤ−ＢＧＭおよび混在ＣＤ−Ｉ、学習用ＣＤおよび混在ＣＤ−ＲＯＭＸＡ、または、学習用ＣＤおよびＣＤ−ＲＯＭＸＡのいずれであるかを判断することができる。なお、この段階では、全てを含むＣＤ−Ｉ、全てを含むＣＤ−ＲＯＭＸＡ、およびその他の各ＣＤのいずれかであることを判断するのみとしてもよい。
【００３９】音声用ＣＤである場合、ディスク再生装置１各部について音声用ＣＤを再生するための設定を行い、全てのＴＯＣ情報を読み出し、ＳＲＡＭ３１に記憶し、一般的なＣＤプレーヤーと同様の処理、例えば曲の頭出し等の処理に使用する。さらに、操作スイッチ群４２を有効化し、専用スイッチ群４１を無効化する。」
「【００４２】また、マイコン３０は表示装置３５にメカデッキ部１５に戴置されたＣＤが音声用ＣＤである旨の表示および演奏中の曲の番号、経過時間等を表示する。ここで、表示装置３５への表示は、液晶表示装置等を使用して文章を表示するか、あるいは、ＬＥＤの光を後ろから照らすことにより浮き出るようにされたアイコン等の表示によるか等を問わない。なお、音声用ＣＤの再生を行う場合は、専用スイッチ群４１の各ボタンスイッチが押下されてもディスク再生装置１は何も反応を起こさない。また、再生ボタン４２３が押下されるまでＣＤの回転は停止される。また、ディスク再生装置１は再生ボタン４２３が押下された場合、一般的なＣＤプレーヤーと同様に再生を行う。」
「【００５１】ＣＤ−ＢＧＭのＢＧＭＩＮＤＥＸおよび学習用ＣＤの検索用データのフォーマットは上述の通りであるため、上記ＩＤ　ＦＩＥＬＤの部分の先頭４バイトをチェックすることにより、容易に両者を識別可能となっている。つまり、マイコン３０は上記ＩＤ　ＦＩＥＬＤの先頭４バイトがＡＳＣＩＩで“ＢＧＭＩ”である場合はＣＤ−ＢＧＭフォーマットであり、“ＣＨＡＴ”である場合は専用フォーマットであると識別する。
【００５２】ここで、メカデッキ部１５に戴置されたＣＤが学習用ＣＤである場合には、マイコン３０は検索用データおよびそれに付随するデータ（トラックテーブル等のデータ）を読み出し、ＳＲＡＭ３１に記憶し、さらに専用スイッチ群４１および操作スイッチ群４２の全てのボタンスイッチを上述のように設定する。また、マイコン３０は表示装置３５にメカデッキ部１５に戴置されたＣＤが学習用ＣＤである旨の表示を行い、さらに再生中のチャプター番号等の表示を行う。
【００５３】この場合、例えばディスク再生装置１は上述した学習用に使用され、学習者がキー入力４０の各ボタンスイッチの操作を誤った場合には警告音を発生する等の処理を行う。また、この場合もＧＯボタン４１５が押下されるまでＣＤの回転は停止される。また、ディスク再生装置１はセレクトスイッチ４１１等が押下された場合、上述したような学習用途の動作を行う。
【００５４】また、メカデッキ部１５に戴置されたＣＤがＣＤ−ＢＧＭである場合には、マイコン３０はＢＧＭＩＮＤＥＸ内のデータを読み出し、ＳＲＡＭ３１に記憶する。さらに、操作スイッチ群４２の各ボタンスイッチを音声用ＣＤが戴置された場合と同じに設定する。また、マイコン３０はメカデッキ部１５に戴置されたＣＤがＣＤ−ＢＧＭである旨の表示を行い、さらに再生中のチャネル番号等の表示を行う。また、この場合も再生ボタン４２３が押下されるまでＣＤの回転は停止される。
【００５５】また、メカデッキ部１５に戴置されたＣＤが学習用ＣＤおよびＣＤ−ＢＧＭのいずれでもない場合は、マイコン３０はさらにＴＯＣのＣＴＲＬ／ＡＤＲＳを判断し、メカデッキ部１５に戴置されたＣＤが混在ＣＤ−ＲＯＭ、混在ＣＤ−Ｉ、および混在ＣＤ−ＲＯＭＸＡを識別し、音声用ＣＤを再生する場合に準じた処理を行う。なお、混在ＣＤ−ＲＯＭ、混在ＣＤ−Ｉ、および混在ＣＤ−ＲＡＭＸＡについては、上記のように音声等のデータの部分（音声用ＣＤと同じフォーマットの部分）のみが再生され、その他の部分は再生されない。また、メカデッキ部１５に戴置されたＣＤがＣＤ−ＩまたはＣＤ−ＲＯＭＸＡである場合は、マイコン３０はメカデッキ部１５の回転を停止し、ディスク再生装置１を初期状態に戻す。」
　
　これらの記載及び図面を参照すると、引用例１には以下の発明が記載されていると認められる。
「音声用ＣＤ、学習用ＣＤ、ＣＤ−ＢＧＭ、及び、音楽用ＣＤフォーマットの混在している混在ＣＤ−ＲＯＭ、混在ＣＤ−Ｉ、混在ＣＤ−ＲＯＭＸＡを再生するディスク再生装置において、
　ディスクのＰＯＩＮＴ、ＰＳＥＣ、ＣＴＲＬ／ＡＤＲＳ、及びＩＤ　ＦＩＥＬＤの各値について判断することにより、戴置されたＣＤが音声用ＣＤ、学習用ＣＤ、ＣＤ−ＢＧＭであるかを判断、及び、音楽用ＣＤフォーマットの混在している混在ＣＤ−ＲＯＭ、混在ＣＤ−Ｉ、混在ＣＤ−ＲＯＭＸＡであるか、音楽用ＣＤフォーマットの混在していないＣＤ−ＲＯＭ、ＣＤ−Ｉ、ＣＤ−ＲＯＭＸＡであるかを判断するマイコンと、
　戴置されたＣＤが音声用ＣＤ、及び音楽用ＣＤフォーマットの混在している混在ＣＤ−ＲＯＭ、混在ＣＤ−Ｉ、混在ＣＤ−ＲＯＭＸＡである場合には、戴置されたＣＤが音声用ＣＤである旨の表示を行い、戴置されたＣＤが学習用ＣＤである場合には、戴置されたＣＤが学習用ＣＤである旨の表示を行い、戴置されたＣＤがＣＤ−ＢＧＭである場合には、戴置されたＣＤがＣＤ−ＢＧＭである旨の表示を行う表示装置と、を有し、
　戴置されたＣＤが音楽用ＣＤフォーマットの混在していないＣＤ−ＲＯＭ、ＣＤ−Ｉ、ＣＤ−ＲＯＭＸＡである場合には、メカデッキ部の回転を停止し、ディスク再生装置を初期状態に戻す、
ディスク再生装置。」
　
　また、原査定の拒絶の理由に引用された、実願平４−４９５５６号（実開平６−４９６４号）のＣＤ−ＲＯＭ（平成６年１月２１日出願公開、以下「引用例２」という）には、「・・表示するので、・・ディスクをオーディオディスクのつもりで誤って挿入したときでも、光ディスク情報再生装置の故障であると誤った判断をすることがない。」（第１６段落）と記載されている。
　
３．対比
　本願発明と引用例１記載の発明とを対比する。
　引用例１記載の発明の「マイコン」が「音楽用ＣＤフォーマットの混在している混在ＣＤ−ＲＯＭ、混在ＣＤ−Ｉ、混在ＣＤ−ＲＯＭＸＡであるか、音楽用ＣＤフォーマットの混在していないＣＤ−ＲＯＭ、ＣＤ−Ｉ、ＣＤ−ＲＯＭＸＡであるかを判断」が、本願発明の「情報種別判別手段」が正常な音声信号として再生可能な情報信号が全く存在しない場合を「判別」する構成に相当し、引用例１記載の発明の「表示装置」が、本願発明の「表示手段」に相当するから、本願発明と引用例１記載の発明とは、
「ディスクに記憶された情報信号を読み取って再生するディスク再生装置において、
　ディスクに記憶されている情報を判別する情報種別判別手段と、
　該情報種別判別手段の、正常な音声信号として再生可能な情報信号が全く存在しないかの判別に基づいて表示を行う表示手段とを備えたことを特徴とするディスク再生装置。」
である点で一致し、以下の点で相違する。
・相違点１
　本願発明は、情報信号は複数のトラックに記憶され、情報種別判別手段は各トラックの情報を判別しているのに対して、引用例１記載の発明はこれらの構成が明記されていない点。
・相違点２
　上記情報種別判別手段の、正常な音声信号として再生可能な情報信号が全く存在しないかの判断に基づく表示が、本願発明では、正常な音声信号として再生可能なトラックが全く存在しない場合にその旨を表示手段で表示するのに対して、引用例１記載の発明は、正常な音声信号として再生可能な情報信号が存在する場合に表示を行う点。
　
４．当審の判断
　上記相違点について検討する。
(1)相違点１に対して
　引用例１の上記第３５段落には、ＴＯＣは複数あることが記載されており、また、引用例１の図３に記載されたＴＯＣは、ＴＮＯ部分を有し、これはトラックナンバーを意味していると認められるから、引用例１記載の発明も、情報信号は各トラックに記憶されていると認められる。
　また、引用例１の上記第３５段落には、各ＴＯＣが有するＣＴＲＬ／ＡＤＲＳについて「・・０１ｈのみである場合・・４１ｈのみである場合・・０１ｈおよび４１ｈが混在している場合」と記載されていることから、各ＴＯＣ、すなわち、各トラックの情報を判別していると認められる。
　したがって、上記相違点１は、実質的な相違ではない。
　
(2)相違点２に対して
　搭載されたＣＤの種別を判別し表示するディスク再生装置において、再生可能なＣＤのみならず再生ができないＣＤであることを表示することは周知（必要とあらば、特開平４−３４５９６２号公報図２のステップ５８，６１，６３を参照）であり、引用例１記載の発明において、搭載されたＣＤについて、正常な音声信号として再生可能なトラックが全く存在しないと判別した場合にもその旨の表示を行わせることは、当業者が適宜採用し得る設計的事項にすぎない。
　また、請求人が審判請求書で主張する、「使用者に、故障ではなく正常な音声信号として再生可能なトラックがないために音声信号の再生がされないことを明確に知らしめることができる。」という効果も、引用例２の記載から、当業者であれば容易に予測可能なものである。
　したがって、上記相違点２も格別のものではない。
　
５．むすび
　以上の理由により、本願発明は、引用例１，２及び周知技術に基づいて、当業者が容易に発明をすることができたものであるから、特許法第２９条第２項の規定により特許を受けることができない。
　よって、結論のとおり審決する。